(57)【要約】【課題】Ｔ.３８通信機能による画像通信装置において、パケットの損失による受信画情報の欠落状況を確実に検出することで、正しい画像通信を可能にした画像通信装置を提供する。【解決手段】Ｔ．３８ＩＦＰパケット制御部１１１は、画情報受信時におけるＩＦＰパケットの総受信パケット数および総損失パケット数を計数する。また、画像通信制御部１０９は、画情報受信終了を示すポストメッセージの受信によりＴ．３８ＩＦＰパケット制御部１１１から画情報受信時における総受信パケット数および総損失パケット数を取得して、総受信パケット数に対する総損失パケット数の割合から画情報受信時におけるパケット損失率を算出し、このパケット損失率に応じて上記ポストメッセージに応答して、ＭＣＦ信号（メッセージ確認信号）、ＲＴＰ信号（リトレーニング肯定信号）、ＲＴＮ信号（リトレーニング否定信号）を切り換えて送信側装置に返送する。【選択図】図１
2011082596.tif 000002
【特許請求の範囲】
【請求項１】
Ｔ.３８通信機能によりＩＦＰパケットを送受するパケット制御部と、
Ｔ.３０コマンドおよび画情報を前記ＩＦＰパケットのフィールドに記述して画像通信を制御する画像通信制御手段と
を有し、
前記パケット制御部は、
画情報受信時における前記ＩＦＰパケットの総受信パケット数および損失パケット数を計数する計数手段
を具備し、
前記画像通信制御部は、
ポストメッセージの受信時に、前記計数手段で計数した前記総受信パケット数に対する前記損失パケット数の割合から前記画情報受信時における前記ＩＦＰパケットの損失率を算出する算出手段と、
前記算出手段で算出した前記損失率が第１の閾値を超えた場合、前記ポストメッセージに応答して前記画情報の送信側装置にリトレーニング否定信号を返送し、前記算出手段で算出した前記損失率が前記第１の閾値以下の場合、前記ポストメッセージに応答して前記送信側装置にメッセージ確認信号を返送する応答信号返送手段と
を具備する画像通信装置。
【請求項２】
Ｔ.３８通信機能によりＩＦＰパケットを送受するパケット制御部と、
Ｔ.３０コマンドおよび画情報を前記ＩＦＰパケットのフィールドに記述して画像通信を制御する画像通信制御手段と
を有し、
前記パケット制御部は、
画情報受信時における前記ＩＦＰパケットの総受信パケット数および損失パケット数を計数する計数手段
を具備し、
前記画像通信制御部は、
ポストメッセージの受信時に、前記計数手段で計数した前記総受信パケット数に対する前記損失パケット数の割合から前記画情報受信時における前記ＩＦＰパケットの損失率を算出する算出手段と、
前記算出手段で算出した前記損失率が第１の閾値を超えた場合、前記ポストメッセージに応答して前記画情報の送信側装置にリトレーニング否定信号を返送し、前記損失率が前記第１の閾値以下でかつ前記第１の閾値より小さい第２の閾値を超えている場合、前記ポストメッセージに応答して前記送信側装置にリトレーニング肯定信号を返送し、前記損失率が前記第２の閾値以下の場合、前記ポストメッセージに応答して前記送信側装置にメッセージ確認信号を返送する応答信号返送手段と
を具備する画像通信装置。
【請求項３】
前記算出手段で算出した前記損失率が前記第１の閾値より大きい第３の閾値を超えた場合、通信を中断する通信中断手段
を更に具備する請求項１または２記載の画像通信装置。
【請求項４】
前記ＩＦＰパケットは、
連続番号が付与されて送信側装置から送信され、
前記計数手段は、
前記連続番号が付与された前記ＩＦＰパケットの受信数から前記総受信パケット数を計数し、前記連続番号の欠番数から前記損失パケット数を計数する請求項１記載の画像通信装置。
【請求項５】
前記計数手段は、
フェーズＣデータを含むＴ３０ＤＡＴＡに先立つＴ３０ＩＮＤＩＣＡＴＯＲを受信した時点若しくはＴ３０ＩＮＤＩＣＡＴＯＲを受信できなかった場合はＩＦＰデータ要素のフィールド種別がＴ.  ４−Ｎｏｎ−ＥＣＭであるパケットを受信した時点を画情報の受信開始として検出し、ＩＦＰデータ要素のフィールド種別がＴ.  ４−Ｎｏｎ−ＥＣＭ−Ｓｉｇ−ＥＮＤであるパケットを受信した時点若しくはＩＦＰデータ要素のフィールド種別がＴ.  ４−Ｎｏｎ−ＥＣＭ−Ｓｉｇ−ＥＮＤであるパケットが受信できなかった場合はポストメッセージに先立つＴ３０  ＩＮＤＩＣＡＴＯＲ：Ｖ．２１  Ｐｒｅａｍｂｌｅ  Ｆｌａｇｓの受信により、さかのぼってＩＦＰデータ要素のフィールド種別がＴ.  ４−Ｎｏｎ−ＥＣＭであるパケットを最後に受信した時点を画情報の受信終了として検出し、前記画情報の受信開始の検出から前記画情報の受信終了の検出までの間に前記総受信パケット数および前記損失パケット数を計数する請求項１記載の画像通信装置。
【請求項６】
前記計数手段は、
前記画情報の受信開始を検出することなく前記画情報の受信終了となった場合、前記総受信パケット数の計数値を０とし、
前記画像通信制御部は、
前記総受信パケット数の計数値を０とした場合、前記画情報の送信側装置にリトレーニング否定信号を返送するか通信を中断する請求項５記載の画像通信装置。
【請求項７】
Ｔ.３８通信機能によりＩＦＰパケットを送受するパケット制御部と、
Ｔ.３０コマンドおよび画情報を前記ＩＦＰパケットのフィールドに記述して画像通信を制御する画像通信制御手段と
を有し、
前記パケット制御部は、
画情報受信時における前記ＩＦＰパケットの最大連続損失パケット数を計数する計数手段
を具備し、
前記画像通信制御部は、
ポストメッセージの受信時に、前記計数手段で計数した前記最大連続損失パケット数が第１の閾値を超えた場合、前記ポストメッセージに応答して前記画情報の送信側装置にリトレーニング否定信号を返送し、前記計数手段で計数した前記最大連続損失パケット数が前記第１の閾値以下の場合、前記ポストメッセージに応答して前記送信側装置にメッセージ確認信号を返送する応答信号返送手段と
を具備する画像通信装置。
【請求項８】
Ｔ.３８通信機能によりＩＦＰパケットを送受するパケット制御部と、
Ｔ.３０コマンドおよび画情報を前記ＩＦＰパケットのフィールドに記述して画像通信を制御する画像通信制御手段と
を有し、
前記パケット制御部は、
画情報受信時における前記ＩＦＰパケットの最大連続損失パケット数を計数する計数手段
を具備し、
前記画像通信制御部は、
ポストメッセージの受信時に、前記計数手段で計数した前記最大連続損失パケット数が第１の閾値を超えた場合、前記ポストメッセージに応答して前記画情報の送信側装置にリトレーニング否定信号を返送し、前記最大連続損失パケット数が第１の閾値以下でかつ第１の閾値より小さい第２の閾値を超えた場合、前記ポストメッセージに応答して前記送信側装置にリトレーニング肯定信号を返送し、前記最大連続損失パケット数が前記第２の閾値以下の場合、前記ポストメッセージに応答して前記送信側装置にメッセージ確認信号を返送する応答信号返送手段と
を具備する画像通信装置。
【請求項９】
前記ＩＦＰパケットは、
連続番号が付与されて送信側装置から送信され、
前記計数手段は、
前記連続番号の欠番数の連続数の計数から前記最大連続損失パケット数を計数する請求項７記載の画像通信装置。
【請求項１０】
前記計数手段は、
フェーズＣデータを含むＴ３０ＤＡＴＡに先立つＴ３０ＩＮＤＩＣＡＴＯＲを受信した時点若しくはＴ３０ＩＮＤＩＣＡＴＯＲを受信できなかった場合はＩＦＰデータ要素のフィールド種別がＴ.  ４−Ｎｏｎ−ＥＣＭであるパケットを受信した時点を画情報の受信開始として検出し、ＩＦＰデータ要素のフィールド種別がＴ.  ４−Ｎｏｎ−ＥＣＭ−Ｓｉｇ−ＥＮＤであるパケットを受信した時点若しくはＩＦＰデータ要素のフィールド種別がＴ.  ４−Ｎｏｎ−ＥＣＭ−Ｓｉｇ−ＥＮＤであるパケットが受信できなかった場合はポストメッセージに先立つＴ３０  ＩＮＤＩＣＡＴＯＲ：Ｖ．２１  Ｐｒｅａｍｂｌｅ  Ｆｌａｇｓの受信により、さかのぼってＩＦＰデータ要素のフィールド種別がＴ.  ４−Ｎｏｎ−ＥＣＭであるパケットを最後に受信した時点を画情報の受信終了として検出し、前記画情報の受信開始の検出から前記画情報の受信終了の検出までの間に前記最大連続損失パケット数を計数する請求項７記載の画像通信装置。
【請求項１１】
Ｔ.３８通信機能によりＩＦＰパケットを送受するパケット制御部と、
Ｔ.３０コマンドおよび画情報を前記ＩＦＰパケットのフィールドに記述して画像通信を制御する画像通信制御手段と
を有し、
前記パケット制御部は、
画情報受信時における前記ＩＦＰパケットの総受信パケット数および損失パケット数および最大連続損失パケット数を計数する計数手段
を具備し、
前記画像通信制御部は、
ポストメッセージの受信時に、前記計数手段で計数した前記総受信パケット数に対する前記損失パケット数の割合から前記画情報受信時における前記ＩＦＰパケットの損失率を算出する算出手段と、
前記算出手段で算出した前記損失率が第１の損失率閾値を超えた場合若しくは前記計数手段で計数した前記最大連続損失パケット数が第１の最大連続損失パケット数閾値を超えた場合、前記ポストメッセージに応答して前記画情報の送信側装置にリトレーニング否定信号を返送し、前記算出手段で算出した前記損失率が前記損失率第１の閾値以下でかつ前記計数手段で計数した前記最大連続損失パケット数が前記第１の最大連続損失パケット数閾値以下の場合、前記ポストメッセージに応答して前記送信側装置にメッセージ確認信号を返送する応答信号返送手段と
を具備する画像通信装置。
【請求項１２】
Ｔ.３８通信機能によりＩＦＰパケットを送受するパケット制御部と、
Ｔ.３０コマンドおよび画情報を前記ＩＦＰパケットのフィールドに記述して画像通信を制御する画像通信制御手段と
を有し、
前記パケット制御部は、
画情報受信時における前記ＩＦＰパケットの総受信パケット数および損失パケット数および最大連続損失パケット数を計数する計数手段
を具備し、
前記画像通信制御部は、
ポストメッセージの受信時に、前記計数手段で計数した前記総受信パケット数に対する前記損失パケット数の割合から前記画情報受信時における前記ＩＦＰパケットの損失率を算出する算出手段と、
前記算出手段で算出した前記損失率が第１の損失率閾値を超えた場合若しくは前記計数手段で計数した前記最大連続損失パケット数が第１の最大連続損失パケット数閾値を超えた場合、前記ポストメッセージに応答して前記画情報の送信側装置にリトレーニング否定信号を返送し、前記損失率が前記第１の損失率閾値以下でかつ前記第１の損失率閾値より小さい第２の損失率閾値を超えた場合若しくは前記最大連続損失パケット数が前記第１の最大連続損失パケット数閾値以下でかつ前記第１の最大連続損失パケット数閾値より小さい第２の最大連続損失パケット数閾値を超えた場合、前記ポストメッセージに応答して前記送信側装置にリトレーニング肯定信号を返送し、前記損失率が前記第２の損失率閾値以下でかつ前記最大連続損失パケット数が前記第２の最大連続損失パケット数閾値以下の場合、前記ポストメッセージに応答して前記送信側装置にメッセージ確認信号を返送する応答信号返送手段と
を具備する画像通信装置。
【請求項１３】
前記算出手段で算出した前記損失率が前記第１の閾値より大きい第３の閾値を超えた場合、通信を中断する通信中断手段
を更に具備する請求項１１または１２記載の画像通信装置。
【請求項１４】
Ｔ.３８通信機能によりＩＦＰパケットを送受するパケット制御部と、
Ｔ.３０コマンドおよび画情報を前記ＩＦＰパケットのフィールドに記述して画像通信を制御する画像通信制御手段と
を有し、
前記パケット制御部は、
画情報受信時における前記ＩＦＰパケットの総受信パケット数および損失パケット数および最大連続損失パケット数を計数する計数手段
を具備し、
前記画像通信制御部は、
ポストメッセージの受信時に、前記計数手段で計数した前記総受信パケット数に対する前記損失パケット数の割合から前記画情報受信時における前記ＩＦＰパケットの損失率を算出する算出手段と、
前記ＩＦＰパケットの復号化後の伝送ラインエラー数を検出する検出手段と、
前記検出手段で検出した前記伝送ラインエラー数が第１の伝送ラインエラー数閾値を超えた場合若しくは前記算出手段で算出した前記損失率が第１の損失率閾値を超えた場合若しくは前記計数手段で計数した前記最大連続損失パケット数が第１の最大連続損失パケット数閾値を超えた場合、前記ポストメッセージに応答して前記画情報の送信側装置にリトレーニング否定信号を返送し、前記検出手段で検出した前記伝送ラインエラー数が第１の伝送ラインエラー数閾値以下でかつ前記算出手段で算出した前記損失率が前記損失率第１の閾値以下でかつ前記計数手段で計数した前記最大連続損失パケット数が前記第１の最大連続損失パケット数閾値以下の場合、前記ポストメッセージに応答して前記送信側装置にメッセージ確認信号を返送する応答信号返送手段と
を具備する画像通信装置。
【請求項１５】
前記応答信号返送手段は、
前記ポストメッセージに応答して前記画情報の送信側装置にリトレーニング否定信号を返送しない場合であって、前記伝送ラインエラー数が前記第１の伝送ラインエラー数閾値以下でかつ前記第１の伝送ラインエラー数より小さい第２の伝送ラインエラー数閾値を越えた場合若しくは前記損失率が前記第１の損失率閾値以下でかつ前記第１の損失率閾値より小さい第２の損失率閾値を越えた場合若しくは前記最大連続損失パケット数が前記第１の最大連続損失パケット数閾値以下でかつ前記第２の最大連続損失パケット数閾値を超えた場合、のうち少なくとも一つを満たす場合には前記ポストメッセージに応答して前記送信側装置にリトレーニング肯定信号を返送する請求項１４記載の画像通信装置。
【請求項１６】
前記検出手段で検出した前記伝送ラインエラー数が前記第１の伝送ラインエラー数閾値より大きい第３の伝送ラインエラー数閾値を超えた場合若しくは前記算出手段で算出した前記損失率が前記第１の閾値より大きい第３の閾値を超えた場合、通信を中断する通信中断手段
を更に具備する請求項１４または１５記載の画像通信装置。
【発明の詳細な説明】
【技術分野】
【０００１】
本発明は、画像通信装置に関する。
【背景技術】
【０００２】
従来のファクシミリ通信では、受信機側にて伝送ラインの最後に付されるＥＯＬ（End of line）符号間のドット数がＩＴＵ（国際通信連合）の通信標準化部門であるＩＴＵ−Ｔで勧告されたＴ．４で定められたドット数に一致しない場合に、伝送エラーラインと判断している。
【０００３】
すなわち、受信機側では、受信画情報を複合化した後、ＥＯＬ符号間のドット数を計数し、この計数値が、Ｔ．４で定められたドット数に一致しない伝送ラインの数が予め設定した閾値を超えた場合は、伝送ラインエラーとしてＲＴＰ信号（リトレーニング肯定信号）やＲＴＮ信号（リトレーニング否定信号）を送信機側に送出する。
【０００４】
ここで、ＲＴＰ信号は、メッセージ（画情報）が完全に受信されたことを示し、更に、トレーニングまたは同期信号とＣＦＲ信号（受信標準確認信号）の授受の後、後続のメッセージの通信を続けてよいことを表す。
【０００５】
また、ＲＴＮ信号は、メッセージが完全に受信されなかったが、トレーニングまたは同期信号が再送されるならば、後続のメッセージの受信が可能なことを示す。
【０００６】
このように、従来の上記手法によると、電源の瞬断やノイズなどで、伝送するデータが失われたり、データ化け等が生じても、これがＥＯＬ符号間のドット数の狂いとして検出されるので、これにより、受信機側で伝送ラインエラーを確実に検知することができる。
【０００７】
また、一定期間連続してデータが失われたりデータ化けが生じたりして、数ライン分のデータが正常に受信できなくても、データ異常の開始部分、終了部分がラインの区切りにちょうど当てはまる確率は、確率論的に低いので、この場合も、少なくとも前後の１または２ラインのエラーとして検出することができる。
【０００８】
ところで、ＩＴＵ−Ｔで勧告されたＴ.３８方式のＩＰ（Internet Protocol ）網を用いたファクシミリ通信においては、非ＥＣＭ（Error Correction Mode）通信時に、１ライン毎または数ライン毎にパケット化して送出する方法が主流である。
【０００９】
このようなパケット送出方法においては、ＩＰ網上で、パケット単位でデータを損失または破棄される場合が多く、画情報の受信中にパケットの損失があると、ちょうどラインの区切りでデータがきれいに抜けることになるため、データを損失していても、上記従来の方式においては、伝送エラーラインとして計数することができない。
【００１０】
その結果、受信画像が欠落して短くなっているのに、受信結果は正常終了となり、ユーザ間の情報伝達に欠落が生じていることを認識できずにトラブルとなる虞れがあった。
【００１１】
パケットの損失に対応するための従来の手法としては、特許文献１に記載されたものが知られている。
【００１２】
しかし、この特許文献１に記載された手法においては、パケットの損失がある一定値を超えた場合、送信手段を電子メールに切り替えるものであり、また、電子メールの宛先の形式(メールアドレス)とＴ.  ３８ファクシミリの宛先の形式（ＳＩＰ  ＵＲＬ）とは異なることが多いため、確実な宛先の切り替えは困難であり、Ｔ.３８方式のＩＰ網を用いたファクシミリ通信における上記パケットの損失には対応できない。
【先行技術文献】
【特許文献】
【００１３】
【特許文献１】特開２００１−２５１４６５号公報
【発明の概要】
【発明が解決しようとする課題】
【００１４】
本発明は、Ｔ.３８通信機能による画像通信装置において、パケットの損失による受信画情報の欠落状況を確実に検出することで、正しい画像通信を可能にした画像通信装置を提供することを目的とする。
【課題を解決するための手段】
【００１５】
上記目的を達成するため、請求項１の発明の画像通信装置は、Ｔ.３８通信機能によりＩＦＰパケットを送受するパケット制御部と、Ｔ.３０コマンドおよび画情報を前記ＩＦＰパケットのフィールドに記述して画像通信を制御する画像通信制御手段とを有し、前記パケット制御部は、画情報受信時における前記ＩＦＰパケットの総受信パケット数および損失パケット数を計数する計数手段を具備し、前記画像通信制御部は、ポストメッセージの受信時に、前記計数手段で計数した前記総受信パケット数に対する前記損失パケット数の割合から前記画情報受信時における前記ＩＦＰパケットの損失率を算出する算出手段と、前記算出手段で算出した前記損失率が第１の閾値を超えた場合、前記ポストメッセージに応答して前記画情報の送信側装置にリトレーニング否定信号を返送し、前記算出手段で算出した前記損失率が前記第１の閾値以下の場合、前記ポストメッセージに応答して前記送信側装置にメッセージ確認信号を返送する応答信号返送手段とを具備する。
【００１６】
請求項２の発明の画像通信装置は、Ｔ.３８通信機能によりＩＦＰパケットを送受するパケット制御部と、Ｔ.３０コマンドおよび画情報を前記ＩＦＰパケットのフィールドに記述して画像通信を制御する画像通信制御手段とを有し、前記パケット制御部は、画情報受信時における前記ＩＦＰパケットの総受信パケット数および損失パケット数を計数する計数手段を具備し、前記画像通信制御部は、ポストメッセージの受信時に、前記計数手段で計数した前記総受信パケット数に対する前記損失パケット数の割合から前記画情報受信時における前記ＩＦＰパケットの損失率を算出する算出手段と、前記算出手段で算出した前記損失率が第１の閾値を超えた場合、前記ポストメッセージに応答して前記画情報の送信側装置にリトレーニング否定信号を返送し、前記損失率が前記第１の閾値以下でかつ前記第１の閾値より小さい第２の閾値を超えている場合、前記ポストメッセージに応答して前記送信側装置にリトレーニング肯定信号を返送し、前記損失率が前記第２の閾値以下の場合、前記ポストメッセージに応答して前記送信側装置にメッセージ確認信号を返送する応答信号返送手段とを具備する。
【００１７】
請求項３の発明は、請求項１または２の発明において、前記算出手段で算出した前記損失率が前記第１の閾値より大きい第３の閾値を超えた場合、前記画情報の受信を中断する受信中断手段を更に具備する。
【００１８】
請求項４の発明は、請求項１の発明において、前記ＩＦＰパケットは、連続番号が付与されて送信側装置から送信され、前記計数手段は、前記連続番号が付与された前記ＩＦＰパケットの受信数から前記総受信パケット数を計数し、前記連続番号の欠番数から前記損失パケット数を計数する。
【００１９】
請求項５の発明は、請求項１の発明において、前記計数手段は、フェーズＣデータを含むＴ３０ＤＡＴＡに先立つＴ３０ＩＮＤＩＣＡＴＯＲを受信した時点若しくはＴ３０ＩＮＤＩＣＡＴＯＲを受信できなかった場合はＩＦＰデータ要素のフィールド種別がＴ.  ４−Ｎｏｎ−ＥＣＭであるパケットを受信した時点を画情報の受信開始として検出し、ＩＦＰデータ要素のフィールド種別がＴ.  ４−Ｎｏｎ−ＥＣＭ−Ｓｉｇ−ＥＮＤであるパケットを受信した時点若しくはＩＦＰデータ要素のフィールド種別がＴ.  ４−Ｎｏｎ−ＥＣＭ−Ｓｉｇ−ＥＮＤであるパケットが受信できなかった場合はポストメッセージに先立つＴ３０  ＩＮＤＩＣＡＴＯＲ：Ｖ．２１  Ｐｒｅａｍｂｌｅ  Ｆｌａｇｓの受信により、さかのぼってＩＦＰデータ要素のフィールド種別がＴ.  ４−Ｎｏｎ−ＥＣＭであるパケットを最後に受信した時点を画情報の受信終了として検出し、前記画情報の受信開始の検出から前記画情報の受信終了の検出までの間に前記総受信パケット数および前記損失パケット数を計数する。
【００２０】
請求項６の発明は、請求項５の発明において、前記計数手段は、前記画情報の受信開始を検出することなく前記画情報の受信終了となった場合、前記総受信パケット数の計数値を０とし、前記画像通信制御部は、前記総受信パケット数の計数値を０とした場合、前記画情報の送信側装置にリトレーニング否定信号を返送するか通信を中断する。
【００２１】
請求項７の発明の画像通信装置は、Ｔ.３８通信機能によりＩＦＰパケットを送受するパケット制御部と、Ｔ.３０コマンドおよび画情報を前記ＩＦＰパケットのフィールドに記述して画像通信を制御する画像通信制御手段とを有し、前記パケット制御部は、画情報受信時における前記ＩＦＰパケットの最大連続損失パケット数を計数する計数手段を具備し、前記画像通信制御部は、ポストメッセージの受信時に、前記計数手段で計数した前記最大連続損失パケット数が第１の閾値を超えた場合、前記ポストメッセージに応答して前記画情報の送信側装置にリトレーニング否定信号を返送し、前記計数手段で計数した前記最大連続損失パケット数が前記第１の閾値以下の場合、前記ポストメッセージに応答して前記送信側装置にメッセージ確認信号を返送する応答信号返送手段とを具備する。
【００２２】
請求項８の発明の画像通信装置は、Ｔ.３８通信機能によりＩＦＰパケットを送受するパケット制御部と、Ｔ.３０コマンドおよび画情報を前記ＩＦＰパケットのフィールドに記述して画像通信を制御する画像通信制御手段とを有し、前記パケット制御部は、画情報受信時における前記ＩＦＰパケットの最大連続損失パケット数を計数する計数手段を具備し、前記画像通信制御部は、ポストメッセージの受信時に、前記計数手段で計数した前記最大連続損失パケット数が第１の閾値を超えた場合、前記ポストメッセージに応答して前記画情報の送信側装置にリトレーニング否定信号を返送し、前記最大連続損失パケット数が第１の閾値以下でかつ第１の閾値より小さい第２の閾値を超えた場合、前記ポストメッセージに応答して前記送信側装置にリトレーニング肯定信号を返送し、前記最大連続損失パケット数が前記第２の閾値以下の場合、前記ポストメッセージに応答して前記送信側装置にメッセージ確認信号を返送する応答信号返送手段とを具備する。
【００２３】
請求項９の発明は、請求項７の発明において、前記ＩＦＰパケットは、連続番号が付与されて送信側装置から送信され、前記計数手段は、前記連続番号の欠番数の連続数の計数から前記最大連続損失パケット数を計数する。
【００２４】
請求項１０の発明は、請求項７の発明において、前記計数手段は、フェーズＣデータを含むＴ３０ＤＡＴＡに先立つＴ３０ＩＮＤＩＣＡＴＯＲを受信した時点若しくはＴ３０ＩＮＤＩＣＡＴＯＲを受信できなかった場合はＩＦＰデータ要素のフィールド種別がＴ.  ４−Ｎｏｎ−ＥＣＭであるパケットを受信した時点を画情報の受信開始として検出し、ＩＦＰデータ要素のフィールド種別がＴ.  ４−Ｎｏｎ−ＥＣＭ−Ｓｉｇ−ＥＮＤであるパケットを受信した時点若しくはＩＦＰデータ要素のフィールド種別がＴ.  ４−Ｎｏｎ−ＥＣＭ−Ｓｉｇ−ＥＮＤであるパケットが受信できなかった場合はポストメッセージに先立つＴ３０  ＩＮＤＩＣＡＴＯＲ：Ｖ．２１  Ｐｒｅａｍｂｌｅ  Ｆｌａｇｓの受信により、さかのぼってＩＦＰデータ要素のフィールド種別がＴ.  ４−Ｎｏｎ−ＥＣＭであるパケットを最後に受信した時点を画情報の受信終了として検出し、前記画情報の受信開始の検出から前記画情報の受信終了の検出までの間に前記最大連続損失パケット数を計数する。
【００２５】
請求項１１の発明の画像通信装置は、Ｔ.３８通信機能によりＩＦＰパケットを送受するパケット制御部と、Ｔ.３０コマンドおよび画情報を前記ＩＦＰパケットのフィールドに記述して画像通信を制御する画像通信制御手段とを有し、前記パケット制御部は、画情報受信時における前記ＩＦＰパケットの総受信パケット数および損失パケット数および最大連続損失パケット数を計数する計数手段を具備し、前記画像通信制御部は、ポストメッセージの受信時に、前記計数手段で計数した前記総受信パケット数に対する前記損失パケット数の割合から前記画情報受信時における前記ＩＦＰパケットの損失率を算出する算出手段と、前記算出手段で算出した前記損失率が第１の損失率閾値を超えた場合若しくは前記計数手段で計数した前記最大連続損失パケット数が第１の最大連続損失パケット数閾値を超えた場合、前記ポストメッセージに応答して前記画情報の送信側装置にリトレーニング否定信号を返送し、前記算出手段で算出した前記損失率が前記損失率第１の閾値以下でかつ前記計数手段で計数した前記最大連続損失パケット数が前記第１の最大連続損失パケット数閾値以下の場合、前記ポストメッセージに応答して前記送信側装置にメッセージ確認信号を返送する応答信号返送手段とを具備する。
【００２６】
請求項１２の発明の画像通信装置は、Ｔ.３８通信機能によりＩＦＰパケットを送受するパケット制御部と、Ｔ.３０コマンドおよび画情報を前記ＩＦＰパケットのフィールドに記述して画像通信を制御する画像通信制御手段とを有し、前記パケット制御部は、画情報受信時における前記ＩＦＰパケットの総受信パケット数および損失パケット数および最大連続損失パケット数を計数する計数手段を具備し、前記画像通信制御部は、ポストメッセージの受信時に、前記計数手段で計数した前記総受信パケット数に対する前記損失パケット数の割合から前記画情報受信時における前記ＩＦＰパケットの損失率を算出する算出手段と、前記算出手段で算出した前記損失率が第１の損失率閾値を超えた場合若しくは前記計数手段で計数した前記最大連続損失パケット数が第１の最大連続損失パケット数閾値を超えた場合、前記ポストメッセージに応答して前記画情報の送信側装置にリトレーニング否定信号を返送し、前記損失率が前記第１の損失率閾値以下でかつ前記第１の損失率閾値より小さい第２の損失率閾値を超えた場合若しくは前記最大連続損失パケット数が前記第１の最大連続損失パケット数閾値以下でかつ前記第１の最大連続損失パケット数閾値より小さい第２の最大連続損失パケット数閾値を超えた場合、前記ポストメッセージに応答して前記送信側装置にリトレーニング肯定信号を返送し、前記損失率が前記第２の損失率閾値以下でかつ前記最大連続損失パケット数が前記第２の最大連続損失パケット数閾値以下の場合、前記ポストメッセージに応答して前記送信側装置にメッセージ確認信号を返送する応答信号返送手段とを具備する。
【００２７】
請求項１３の発明は、請求項１１または１２の発明において、前記算出手段で算出した前記損失率が前記第１の閾値より大きい第３の閾値を超えた場合、前記画情報の受信を中断する受信中断手段を更に具備する。
【００２８】
請求項１４の発明の画像通信装置は、Ｔ.３８通信機能によりＩＦＰパケットを送受するパケット制御部と、Ｔ.３０コマンドおよび画情報を前記ＩＦＰパケットのフィールドに記述して画像通信を制御する画像通信制御手段とを有し、前記パケット制御部は、画情報受信時における前記ＩＦＰパケットの総受信パケット数および損失パケット数および最大連続損失パケット数を計数する計数手段を具備し、前記画像通信制御部は、ポストメッセージの受信時に、前記計数手段で計数した前記総受信パケット数に対する前記損失パケット数の割合から前記画情報受信時における前記ＩＦＰパケットの損失率を算出する算出手段と、前記ＩＦＰパケットの復号化後の伝送ラインエラー数を検出する検出手段と、前記検出手段で検出した前記伝送ラインエラー数が第１の伝送ラインエラー数閾値を超えた場合若しくは前記算出手段で算出した前記損失率が第１の損失率閾値を超えた場合若しくは前記計数手段で計数した前記最大連続損失パケット数が第１の最大連続損失パケット数閾値を超えた場合、前記ポストメッセージに応答して前記画情報の送信側装置にリトレーニング否定信号を返送し、前記検出手段で検出した前記伝送ラインエラー数が第１の伝送ラインエラー数閾値以下でかつ前記算出手段で算出した前記損失率が前記損失率第１の閾値以下でかつ前記計数手段で計数した前記最大連続損失パケット数が前記第１の最大連続損失パケット数閾値以下の場合、前記ポストメッセージに応答して前記送信側装置にメッセージ確認信号を返送する応答信号返送手段とを具備する。
【００２９】
請求項１５の発明は、請求項１４の発明において、前記ポストメッセージに応答して前記画情報の送信側装置にリトレーニング否定信号を返送しない場合であって、前記伝送ラインエラー数が前記第１の伝送ラインエラー数閾値以下でかつ前記第１の伝送ラインエラー数より小さい第２の伝送ラインエラー数閾値を越えた場合若しくは前記損失率が前記第１の損失率閾値以下でかつ前記第１の損失率閾値より小さい第２の損失率閾値を越えた場合若しくは前記最大連続損失パケット数が前記第１の最大連続損失パケット数閾値以下でかつ前記第２の最大連続損失パケット数閾値を超えた場合、のうち少なくとも一つを満たす場合には前記ポストメッセージに応答して前記送信側装置にリトレーニング肯定信号を返送する。
【００３０】
請求項１６の発明は、請求項１４または１５の発明において、前記検出手段で検出した前記伝送ラインエラー数が前記第１の伝送ラインエラー数閾値より大きい第３の伝送ラインエラー数閾値を超えた場合若しくは前記算出手段で算出した前記損失率が前記第１の閾値より大きい第３の閾値を超えた場合、前記画情報の受信を中断する受信中断手段を更に具備する。
【発明の効果】
【００３１】
請求項１の発明によれば、パケットの損失率に応じてリトレーニング否定信号若しくはメッセージ確認信号を送信側装置に返送することができ、これにより、通信画像に欠落があったことを使用者に通知可能になる。
【００３２】
請求項２の発明によれば、請求項１の発明の効果に加えて、パケットの損失率に応じてリトレーニング肯定信号を送信側装置に返送することができる。
【００３３】
請求項３の発明によれば、請求項１または２の発明の効果に加えて、パケットの損失率に応じて通信を中断することができる。
【００３４】
請求項４の発明によれば、総受信パケット数および損失パケット数の計数を容易に行うことができる。
【００３５】
請求項５の発明によれば、総受信パケット数および損失パケット数の計数を画情報の受信開始から画情報の受信終了に亘って正確に行うことができる。
【００３６】
請求項６の発明によれば、画情報の受信開始を検出することなく画情報の受信終了となった場合に、画情報の送信側装置にリトレーニング否定信号の変更または通信の中断を行うことができる。
【００３７】
請求項７の発明によれば、最大連続損失パケット数に応じてリトレーニング否定信号若しくはメッセージ確認信号を送信側装置に返送することができ、これにより、通信画像に欠落があったことを使用者に通知可能になる。
【００３８】
請求項８の発明によれば、請求項７の発明の効果に加えて、最大連続損失パケット数に応じてリトレーニング肯定信号を送信側装置に返送することができる。
【００３９】
請求項９の発明によれば、最大連続損失パケット数の計数を容易に行うことができる。
【００４０】
請求項１０の発明によれば、最大連続損失パケット数の計数を画情報の受信開始から画情報の受信終了に亘って正確に行うことができる。
【００４１】
請求項１１の発明によれば、パケットの損失率および最大連続損失パケット数に応じてリトレーニング否定信号若しくはメッセージ確認信号を送信側装置に返送することができ、これにより、通信画像に欠落があったことを使用者に通知可能になる。
【００４２】
請求項１２の発明によれば、請求項１１の発明の効果に加えて、パケットの損失率および最大連続損失パケット数に応じてリトレーニング肯定信号を送信側装置に返送することができる。
【００４３】
請求項１３の発明によれば、請求項１１または１２の発明の効果に加えて、パケットの損失率に応じて通信を中断することができる。
【００４４】
請求項１４の発明によれば、パケットの損失率および最大連続損失パケット数および復号後の伝送ラインエラー数に応じてリトレーニング否定信号若しくはメッセージ確認信号を送信側装置に返送することができ、これにより、通信画像に欠落があったことを使用者に通知可能になる。
【００４５】
請求項１５の発明によれば、請求項１の発明の効果に加えて、パケットの損失率および最大連続損失パケット数および復号後の伝送ラインエラー数に応じてリトレーニング肯定信号を送信側装置に返送することができる。
【００４６】
請求項１６の発明によれば、請求項１４または１５の発明の効果に加えて、パケットの損失率および復号後の伝送ラインエラー数に応じて画情報の通信を中断することができる。
【図面の簡単な説明】
【００４７】
【図１】図１は、本発明に係わる画像通信装置の概略構成を示すブロック図である。
【図２】図２は、本発明の実施例１に係わる図１に示した画像通信制御部の動作を示すフローチャートである。
【図３】図３は、本発明の実施例２に係わる図１に示した画像通信制御部の動作を示すフローチャートである。
【図４】図４は、本発明の実施例３に係わる図１に示した画像通信制御部の動作を示すフローチャートである。
【図５】図５は、本発明の実施例４に係わる図１に示した画像通信制御部の動作を示すフローチャートである。
【図６】図６は、本発明の実施例５に係わる図１に示した画像通信制御部の動作を示すフローチャートである。
【図７】図７は、本発明の画情報伝送に用いるパケットの構成を示すパケット構成図である。
【図８】図８は、本発明における総受信パケット、総損失パケット数、最大連続損失パケット数の計数動作の一例を示す動作説明図である。
【図９】図９は、本発明で用いるパケットの詳細を示すパケット構成図である。
【図１０】図１０は、本発明における総受信パケット、総損失パケット数、最大連続損失パケット数の計数のための画情報受信開始および画情報受信終了の検出動作を説明する説明図である。
【図１１】図１１は、本発明における画情報受信開始が検出できずに画像受信終了となった場合の動作を説明する説明図である。
【発明を実施するための形態】
【００４８】
以下、本発明の一実施例を添付図面を参照して詳細に説明する。
【００４９】
図１は、本発明に係わる画像通信装置の概略構成を示すブロック図である。この画像通信装置１００は、主制御部１０１、画像蓄積部１０２、画像読取部１０３、印刷部１０４、操作部１０５、記憶部１０６、画像処理部１０７、呼接続制御部１０８、画像通信制御部１０９をバス１１０に接続し、呼接続制御部１０８を画像通信制御部１０９をＴＣＰ/ＵＤＰ/ＩＰ制御部１１２を介してネットワークインターフェイス部１１３に接続するとともに、画像通信制御部１０９をＴ．３８ＩＦＰパケット制御部１１１を介してＴＣＰ/ＵＤＰ/ＩＰ制御部１１２に接続して構成される。
【００５０】
ここで、主制御部１０１は、画像通信装置１００の全体の制御処理を行うものである。
【００５１】
画像蓄積部１０２は、画像読取部１０３から読み込まれた画像または受信した画像を蓄積する。
【００５２】
画像読取部１０３は、所定の解像度で原稿画像を読み込み、印刷部１０４は、所定の解像度で画像を印刷する。
【００５３】
操作部１０５は、画像通信装置１００を操作する各種の操作キーおよび各種情報を表示する表示部を有する。
【００５４】
記憶部１０６は、ＲＡＭ(Random Access Memory)から構成され、画像通信装置１００の動作を制御するシステムデータおよび通信情報等を記憶する。
【００５５】
画像処理部１０７は、画像データに対する符号化、復号化、拡大、縮小等の処理を行う。
【００５６】
呼接続制御部１０８は、ＳＩＰによる呼接続を制御する。ＳＩＰにより提供される制御機能の具体例としては、位置情報の登録、セッションの確立・切断、能力のネゴシエーション、プレゼンス情報交換などがある。
【００５７】
画像通信制御部１０９は、画像通信を実現するもので、ＩＴＵ（国際電気通信連合）−Ｔ．３０プロトコルを制御する。
【００５８】
Ｔ．３８ＩＦＰパケット制御部１１１は、ＩＴＵ−Ｔ．３８に準拠したＩＦＰパケット層のプロトコルを制御するもので、Ｔ.３８通信機能によりＩＦＰパケットの送受を制御する。
【００５９】
ＴＣＰ／ＵＤＰ／ＩＰ制御部１１２は、インターネットのトランスポート／ネットワーク層のプロトコル制御を行う。ネットワークインタ−フェース部１１３は、ＩＰ網に接続され、データリンク層以下の通信制御を行う。
【実施例１】
【００６０】
図２は、本発明の実施例１に係わる図１に示した画像通信制御部の動作を示すフローチャートである。
【００６１】
この実施例１において、図１のＴ．３８ＩＦＰパケット制御部１１１は、画情報受信時におけるＩＦＰパケットの総受信パケット数および総損失パケット数を計数する計数機能を有する。
【００６２】
また、画像通信制御部１０９は、画情報受信終了を示すポストメッセージの受信によりＴ．３８ＩＦＰパケット制御部１１１から画情報受信時における総受信パケット数および総損失パケット数を取得して、総受信パケット数に対する総損失パケット数の割合から画情報受信時におけるパケット損失率を算出し、このパケット損失率に応じて上記ポストメッセージに応答して、ＭＣＦ信号（メッセージ確認信号）、ＲＴＰ信号（リトレーニング肯定信号）、ＲＴＮ信号（リトレーニング否定信号）を切り換えて送信側装置に返送する。
【００６３】
具体的には、画像通信制御部１０９では、パケット損失率に応じて、閾値Ａ＞閾値Ｂなる２つの閾値を予め設定し、パケット損失率が閾値Ａを超えた場合は、ポストメッセージに応答してＲＴＮ信号を送信側装置に返送し、パケット損失率が閾値Ａ以下であるが閾値Ｂを超えている場合は、ポストメッセージに応答してＲＴＰ信号を送信側装置に返送し、パケット損失率が閾値Ｂ以下であると、ポストメッセージに応答してＭＣＦ信号を送信側装置に返送する。
【００６４】
図２のフローチャートの処理が開始されると、画像受信処理（ステップ２０１）の終了によるポストメッセージを受信したかを調べる（ステップ２０２）。ここで、ポストメッセージを受信していない場合は（ステップ２０２でＮＯ）、ステップ２０１に戻り、画像受信処理を続けて、ポストメッセージの受信を待つが、ポストメッセージを受信したと判断されると（ステップ２０２でＹＥＳ）、パケット損失率の算出を行う（ステップ２０３）。
【００６５】
ステップ２０３におけるパケット損失率の算出は、Ｔ．３８ＩＦＰパケット制御部１１１から画情報受信時における総受信パケット数Ｎｊおよび総損失パケット数Ｎｅを取得し、以下の式による計算でパケット損失率Ｐｅを算出する。
【００６６】
総損失パケット数Ｎｅ／総受信パケット数Ｎｊ＝パケット損失率Ｐｅ
次に、上記のようにして算出したパケット損失率Ｐｅが閾値Ａを超えているか、すなわち、Ｐｅ＞Ａが成立するかを調べる（ステップ２０４）。ここで、パケット損失率Ｐｅが閾値Ａを超えている場合は（ステップ２０４でＹＥＳ）、画情報が完全に受信されなかったが、トレーニングまたは同期信号が再送されるならば、後続の画情報の受信が可能なことを示すＲＴＮ信号を、ポストメッセージに応答して送信側装置に返送し（ステップ２０５）、このＲＴＮ信号返送をログ情報として記憶部１０６に登録し（ステップ２０６）、ステップ２１１へ進む。
【００６７】
また、ステップ２０４で、パケット損失率Ｐｅが閾値Ａ以下であると判定された場合は（ステップ２０４でＮＯ）、次に、このパケット損失率Ｐｅが閾値Ｂを超えているか、すなわち、Ｐｅ＞Ｂが成立するかを調べる（ステップ２０７）。ここで、パケット損失率Ｐｅが閾値Ｂを超えている場合は（ステップ２０７でＹＥＳ）、画情報が完全に受信されたが、更に、トレーニングまたは同期信号とＣＦＲ信号の授受の後、後続のメッセージの通信を続けてよいことを表すＲＴＰ信号を、ポストメッセージに応答して送信側装置に返送し（ステップ２０８）、このＲＴＰ信号返送をログ情報として記憶部１０６に登録し（ステップ２０９）、ステップ２１１へ進む。
【００６８】
また、ステップ２０７で、パケット損失率Ｐｅが閾値Ｂ以下であると判定された場合は（ステップ２０７でＮＯ）、画情報が完全に受信されたことを示すＭＣＦ信号を、ポストメッセージに応答して送信側装置に返送し（ステップ２１０）、ステップ２１１へ進む。
【００６９】
ステップ２１１では、次ページの画情報を受信したかを調べ、次ページの画情報を受信した場合は（ステップ２１１でＹＥＳ）、ステップ２０１に戻り、次ページの画情報の受信処理を行い、ステップ２０１からステップ２１１の処理を繰り返す。
【００７０】
また、ステップ２１１で、次ページの画情報を受信していないと判断された場合は（ステップ２１１でＮＯ）、次に、ＤＣＮ信号（切断命令信号）を受信したかを調べる（ステップ２１２）。ここで、ＤＣＮ信号を受信していないと判断された場合は（ステップ２１１でＮＯ）、ステップ２１１に戻り、次ページの画情報を受信したかを再び調べるが、ＤＣＮ信号を受信したと判断された場合は（ステップ２１２でＹＥＳ）、この処理を終了する。
【実施例２】
【００７１】
実施例２では、閾値Ａより大きい閾値Ｃを更に設定し、パケット損失率が閾値Ｃを超えた場合は、通信を中断して、この処理を終了する。その他の構成は実施例１と同様である。
【００７２】
図３は、本発明の実施例２に係わる図１に示した画像通信制御部の動作を示すフローチャートである。
【００７３】
実施例３では、パケット損失率の算出（ステップ３０３）後、まず、この算出したパケット損失率が閾値Ｃを超えているかを調べ（ステップ３０４）、パケット損失率が閾値Ｃを超えている場合は（ステップ３０４でＹＥＳ）、送信側装置との通信を中断し（ステップ３０５）、この通信中断をログ情報として記憶部１０６に登録し（ステップ３０６）、この処理を終了する。
【００７４】
すなわち、図３に示すフローチャートの処理が開始されると、画像受信処理（ステップ３０１）の終了によるポストメッセージを受信したかを調べ（ステップ３０２）、ここで、ポストメッセージを受信していない場合は（ステップ３０２でＮＯ）、ステップ３０１に戻り、画像受信処理を続けて、ポストメッセージの受信を待つが、ポストメッセージを受信したと判断されると（ステップ３０２でＹＥＳ）、実施例１と同様に、Ｔ．３８ＩＦＰパケット制御部１１１から画情報受信時における総受信パケット数Ｎｊおよび総損失パケット数Ｎｅを取得して、パケット損失率の算出を行う（ステップ３０３）。
【００７５】
次に、算出したパケット損失率Ｐｅが閾値Ｃを超えているか、すなわち、Ｐｅ＞Ｃが成立するかを調べ（ステップ３０４）、パケット損失率Ｐｅが閾値Ｃを超えている場合は（ステップ３０４でＹＥＳ）、送信側装置との通信を中断し（ステップ３０５）、この通信中断をログ情報として記憶部１０６に登録し（ステップ３０６）、この処理を終了する。
【００７６】
また、ステップ３０４でパケット損失率Ｐｅが閾値Ｃ以下であると判断されると（ステップ３０４でＮＯ）、次に、算出したパケット損失率Ｐｅが閾値Ａを超えているかを調べ（ステップ３０７）、パケット損失率Ｐｅが閾値Ａを超えている場合は（ステップ３０７でＹＥＳ）、ポストメッセージに応答してＲＴＮ信号を送信側装置に返送し（ステップ３０８）、このＲＴＮ信号返送をログ情報として記憶部１０６に登録し（ステップ３０９）、ステップ３１４へ進む。
【００７７】
また、ステップ３０７で、パケット損失率Ｐｅが閾値Ａ以下であると判定された場合は（ステップ３０７でＮＯ）、次に、このパケット損失率Ｐｅが閾値Ｂを超えているかを調べる（ステップ３１０）。ここで、パケット損失率Ｐｅが閾値Ｂを超えている場合は（ステップ３１０でＹＥＳ）、ポストメッセージに応答してＲＴＰ信号を送信側装置に返送し（ステップ３１１）、このＲＴＰ信号返送をログ情報として記憶部１０６に登録し（ステップ３１２）、ステップ３１４へ進む。
【００７８】
また、ステップ３１０で、パケット損失率Ｐｅが閾値Ｂ以下であると判定された場合は（ステップ３１０でＮＯ）、ポストメッセージに応答してＭＣＦ信号を送信側装置に返送し（ステップ３１３）、ステップ３１４へ進む。
【００７９】
ステップ３１４では、次ページの画情報を受信したかを調べ、次ページの画情報を受信した場合は（ステップ３１４でＹＥＳ）、ステップ３０１に戻り、次ページの画情報の受信処理を行い、ステップ３０１からステップ３１４の処理を繰り返す。
【００８０】
また、ステップ３１４で、次ページの画情報を受信していないと判断された場合は（ステップ３１４でＮＯ）、次に、ＤＣＮ信号を受信したかを調べる（ステップ３１５）。ここで、ＤＣＮ信号を受信していないと判断された場合は（ステップ３１５でＮＯ）、ステップ３１４に戻り、次ページの画情報を受信したかを再び調べるが、ＤＣＮ信号を受信したと判断された場合は（ステップ３１４でＹＥＳ）、この処理を終了する。
【実施例３】
【００８１】
実施例３では、図１のＴ．３８ＩＦＰパケット制御部１１１で、最大連続損失パケット数、すなわち、連続する損失パケット数の最大値を計数する。そして、画像通信制御部１０９では、この最大連続損失パケット数に応じて、閾値ａ＞閾値ｂなる２つの閾値を予め設定し、最大連続損失パケット数が閾値ａを超えた場合は、ポストメッセージに応答してＲＴＮ信号を送信側装置に返送し、最大連続損失パケット数が閾値ａ以下であるが閾値ｂを超えている場合は、ポストメッセージに応答してＲＴＰ信号を送信側装置に返送し、最大連続損失パケット数が閾値ｂ以下であると、ポストメッセージに応答してＭＣＦ信号を送信側装置に返送する。
【００８２】
図４は、本発明の実施例３に係わる図１に示した画像通信制御部の動作を示すフローチャートである。
【００８３】
図４のフローチャートの処理が開始されると、画像受信処理（ステップ４０１）の終了によるポストメッセージを受信したかを調べる（ステップ４０２）。ここで、ポストメッセージを受信していない場合は（ステップ４０２でＮＯ）、ステップ４０１に戻り、画像受信処理を続けて、ポストメッセージの受信を待つが、ポストメッセージを受信したと判断されると（ステップ４０２でＹＥＳ）、Ｔ．３８ＩＦＰパケット制御部１１１から最大連続損失パケット数を取得して、この最大連続損失パケット数ＭＮｅが閾値ａを超えているか、すなわち、ＭＮｅ＞ａが成立するかを調べる（ステップ４０３）。ここで、最大連続損失パケット数ＭＮｅが閾値ａを超えている場合は（ステップ４０３でＹＥＳ）、ポストメッセージに応答してＲＴＮ信号を送信側装置に返送し（ステップ４０４）、このＲＴＮ信号返送をログ情報として記憶部１０６に登録し（ステップ４０５）、ステップ４１０へ進む。
【００８４】
また、ステップ４０３で、最大連続損失パケット数ＭＮｅが閾値ａ以下であると判定された場合は（ステップ４０３でＮＯ）、次に、この最大連続損失パケット数ＭＮｅが閾値ｂを超えているか、すなわち、ＭＮｅ＞ｂが成立するかを調べる（ステップ４０６）。ここで、最大連続損失パケット数ＭＮｅが閾値ｂを超えている場合は（ステップ４０６でＹＥＳ）、ポストメッセージに応答してＲＴＰ信号を送信側装置に返送し（ステップ４０７）、このＲＴＰ信号返送をログ情報として記憶部１０６に登録し（ステップ４０８）、ステップ４１０へ進む。
【００８５】
また、ステップ４０６で、最大連続損失パケット数ＭＮｅが閾値ｂ以下であると判定された場合は（ステップ４０６でＮＯ）、ポストメッセージに応答してＭＣＦ信号を送信側装置に返送し（ステップ４０９）、ステップ４１０へ進む。
【００８６】
ステップ４１０では、次ページの画情報を受信したかを調べ、次ページの画情報を受信した場合は（ステップ４１０でＹＥＳ）、ステップ４０１に戻り、次ページの画情報の受信処理を行い、ステップ４０１からステップ４１０の処理を繰り返す。
【００８７】
また、ステップ４１０で、次ページの画情報を受信していないと判断された場合は（ステップ４１０でＮＯ）、次に、ＤＣＮ信号を受信したかを調べる（ステップ４１１）。ここで、ＤＣＮ信号を受信していないと判断された場合は（ステップ４１１でＮＯ）、ステップ４１０に戻り、次ページの画情報を受信したかを再び調べるが、ＤＣＮ信号を受信したと判断された場合は（ステップ４１１でＹＥＳ）、この処理を終了する。
【実施例４】
【００８８】
実施例４では、図１のＴ．３８ＩＦＰパケット制御部１１１で、画情報受信時における総受信パケット数および総損失パケット数および最大連続損失パケット数を計数する。そして、画像通信制御部１０９では、パケット損失率に応じて、閾値Ｃ＞閾値Ａ＞閾値Ｂなる３つの閾値を予め設定するとともに、最大連続損失パケット数に応じて、閾値ａ＞閾値ｂなる２つの閾値を予め設定し、パケット損失率が閾値Ｃを超えた場合は、通信を中断し、パケット損失率が閾値Ｃ以下であるが閾値Ａを超えた場合および最大連続損失パケット数が閾値ａを超えた場合は、ポストメッセージに応答してＲＴＮ信号を送信側装置に返送し、パケット損失率が閾値Ａ以下であるが閾値Ｂを超えている場合および最大連続損失パケット数が閾値ａ以下であるが閾値ｂを超えている場合は、ポストメッセージに応答してＲＴＰ信号を送信側装置に返送し、パケット損失率が閾値Ｂ以下でありかつ最大連続損失パケット数が閾値ｂ以下であると、ポストメッセージに応答してＭＣＦ信号を送信側装置に返送する。
【００８９】
図５は、本発明の実施例４に係わる図１に示した画像通信制御部の動作を示すフローチャートである。
【００９０】
図５に示すフローチャートの処理が開始されると、画像受信処理（ステップ５０１）の終了によるポストメッセージを受信したかを調べ（ステップ５０２）、ここで、ポストメッセージを受信していない場合は（ステップ５０２でＮＯ）、ステップ５０１に戻り、画像受信処理を続けて、ポストメッセージの受信を待つが、ポストメッセージを受信したと判断されると（ステップ５０２でＹＥＳ）、Ｔ．３８ＩＦＰパケット制御部１１１から画情報受信時における総受信パケット数Ｎｊおよび総損失パケット数Ｎｅを取得して、パケット損失率Ｐｅの算出を行う（ステップ５０３）。
【００９１】
次に、算出したパケット損失率Ｐｅが閾値Ｃを超えているかを調べ（ステップ５０４）、パケット損失率Ｐｅが閾値Ｃを超えている場合は（ステップ５０４でＹＥＳ）、送信側装置との通信を中断し（ステップ５０５）、この通信中断をログ情報として記憶部１０６に登録し（ステップ５０６）、この処理を終了する。
【００９２】
また、ステップ５０４でパケット損失率Ｐｅが閾値Ｃ以下であると判断されると（ステップ５０４でＮＯ）、次に、算出したパケット損失率Ｐｅが閾値Ａを超えているかを調べ（ステップ５０７）、パケット損失率Ｐｅが閾値Ａを超えている場合は（ステップ５０７でＹＥＳ）、ステップ５０８へ進む。
【００９３】
また、ステップ５０７でパケット損失率Ｐｅが閾値Ａ以下であると判断されると（ステップ５０７でＮＯ）、Ｔ．３８ＩＦＰパケット制御部１１１から最大連続損失パケット数を取得して、この最大連続損失パケット数ＭＮｅが閾値ａを超えているかを調べ（ステップ５１０）、ここで、最大連続損失パケット数ＭＮｅが閾値ａを超えている場合は（ステップ５１０でＹＥＳ）、ステップ５０８へ進む。
【００９４】
ステップ５０８では、ポストメッセージに応答してＲＴＮ信号を送信側装置に返送し、このＲＴＮ信号返送をログ情報として記憶部１０６に登録し（ステップ５０９）、ステップ５１６へ進む。
【００９５】
また、ステップ５１０で、最大連続損失パケット数ＭＮｅが閾値ａ以下であると判定された場合は（ステップ５１０でＮＯ）、パケット損失率Ｐｅが閾値Ｂを超えているかを調べ（ステップ５１１）、ここで、パケット損失率Ｐｅが閾値Ｂを超えている場合は（ステップ５１１でＹＥＳ）、ステップ５１２に進む。
【００９６】
また、ステップ５１１で、パケット損失率Ｐｅが閾値Ｂ以下であると判定された場合は（ステップ５１１でＮＯ）、最大連続損失パケット数ＭＮｅが閾値ｂを超えているか、すなわち、ＭＮｅ＞ｂが成立するかを調べ（ステップ４０６）、ここで、最大連続損失パケット数ＭＮｅが閾値ｂを超えている場合は（ステップ５１４でＹＥＳ）、ステップ５１２へ進む。
【００９７】
ステップ５１２では、ポストメッセージに応答してＲＴＰ信号を送信側装置に返送し、このＲＴＰ信号返送をログ情報として記憶部１０６に登録し（ステップ５１３）、ステップ５１６へ進む。
【００９８】
また、ステップ５１４で、最大連続損失パケット数ＭＮｅが閾値ｂ以下であると判定された場合は（ステップ５１４でＮＯ）、ポストメッセージに応答してＭＣＦ信号を送信側装置に返送し（ステップ５１５）、ステップ５１６へ進む。
【００９９】
ステップ５１６では、次ページの画情報を受信したかを調べ、次ページの画情報を受信した場合は（ステップ５１６でＹＥＳ）、ステップ５０１に戻り、次ページの画情報の受信処理を行い、ステップ５０１からステップ５１６の処理を繰り返す。
【０１００】
また、ステップ５１６で、次ページの画情報を受信していないと判断された場合は（ステップ５１６でＮＯ）、次に、ＤＣＮ信号を受信したかを調べる（ステップ５１７）。ここで、ＤＣＮ信号を受信していないと判断された場合は（ステップ５１７でＮＯ）、ステップ５１６に戻り、次ページの画情報を受信したかを再び調べるが、ＤＣＮ信号を受信したと判断された場合は（ステップ５１７でＹＥＳ）、この処理を終了する。
【実施例５】
【０１０１】
実施例５では、図１のＴ．３８ＩＦＰパケット制御部１１１で、画情報受信時における総受信パケット数および総損失パケット数および最大連続損失パケット数を算出する。また、画像通信制御部１０９では、Ｔ．３８ＩＦＰパケット制御部１１１から総受信パケット数および総損失パケット数および最大連続損失パケット数を取得し、総受信パケット数に対する総損失パケット数の割合からパケット損失率Ｐｅを算出し、更に、ＩＦＰパケットの復号化後のデータから伝送ラインエラー数を検出する。
【０１０２】
そして、検出した伝送ラインエラー数が閾値Ｙを超えた場合、若しくは検出した伝送ラインエラー数が閾値Ｙ以下であるが、算出したパケット損失率Ｐｅが閾値Ｃを超えた場合は、送信側装置との通信を中断し、伝送ラインエラー数が閾値Ｙより小さい閾値Ｘを超えた場合、若しくは伝送ラインエラー数が閾値Ｘ以下であるが、パケット損失率Ｐｅが閾値Ａを超えた場合は、ポストメッセージに応答してＲＴＮ信号を送信側装置に返送し、パケット損失率Ｐｅが閾値Ａ以下で、最大連続損失パケット数ＭＮｅが閾値ａを超えた場合は、ポストメッセージに応答してＲＴＰ信号を送信側装置に返送し、パケット損失率Ｐｅが閾値Ａ以下で、かつ最大連続損失パケット数ＭＮｅが閾値ａ以下の場合は、ポストメッセージに応答してＭＣＦ信号を送信側装置に返送する。
【０１０３】
図６は、本発明の実施例５に係わる図１に示した画像通信制御部の動作を示すフローチャートである。
【０１０４】
図６のフローチャートの処理が開始されると、画像受信処理（ステップ６０１）の終了によるポストメッセージを受信したかを調べる（ステップ６０２）。ここで、ポストメッセージを受信していない場合は（ステップ６０２でＮＯ）、ステップ６０１に戻り、画像受信処理を続けて、ポストメッセージの受信を待つが、ポストメッセージを受信したと判断されると（ステップ６０２でＹＥＳ）、Ｔ．３８ＩＦＰパケット制御部１１１から画情報受信時における総受信パケット数Ｎｊおよび総損失パケット数Ｎｅを取得して、パケット損失率の算出を行う（ステップ６０３）。
【０１０５】
また、ＩＦＰパケットの復号化後のデータから伝送ラインエラー数ＤＮｅを検出する（ステップ６０４）。この伝送ラインエラー数ＤＮｅの検出は、復号化後のデータのＥＯＬ符号間のドット数を調べ、このドット数がＩＴＵ−Ｔで勧告されたＴ．４で定められたドット数に一致しない場合に、このラインを伝送エラーラインと判断して、この伝送エラーラインの数を検出することにより行われる。
【０１０６】
ステップ６０５では、ステップ６０４で検出した復号化後の伝送ラインエラー数ＤＮｅが閾値Ｙを超えているか、すなわちＤＮｅ＞Ｙが成立するかを調べる。ここで、復号化後の伝送ラインエラー数ＤＮｅが閾値Ｙを超えている場合は（ステップ６０５でＹＥＳ）、ステップ６０６へ進む。
【０１０７】
また、復号化後の伝送ラインエラー数ＤＮｅが閾値Ｙ以下の場合は（ステップ６０５でＮＯ）、ステップ６０３で算出したパケット損失率Ｐｅが閾値Ｃを超えているかを調べ（ステップ６０８）、パケット損失率Ｐｅが閾値Ｃを超えている場合はステップ６０６へ進む。
【０１０８】
ステップ６０６では、送信側装置との通信を中断し、この通信中断をログ情報として記憶部１０６に登録し（ステップ６０７）、この処理を終了する。
【０１０９】
また、ステップ６０８でパケット損失率Ｐｅが閾値Ｃ以下であると判断されると（ステップ６０８でＮＯ）、次に、検出した伝送ラインエラー数ＤＮｅが閾値Ｘを超えているか、すなわちＤＮｅ＞Ｘが成立するかを調べる（ステップ６０９）。ここで、復号化後の伝送ラインエラー数ＤＮｅが閾値Ｘを超えている場合は（ステップ６０９でＹＥＳ）、ステップ６１０へ進む。
【０１１０】
また、検出した伝送ラインエラー数ＤＮｅが閾値Ｘ以下である場合は（ステップ６０９でＮＯ）、パケット損失率Ｐｅが閾値Ａを超えているかを調べ（ステップ６１２）、パケット損失率Ｐｅが閾値Ａを超えている場合は（ステップ６１２でＹＥＳ）、ステップ６１０に進む。
【０１１１】
ステップ６１０では、ポストメッセージに応答してＲＴＮ信号を送信側装置に返送し、このＲＴＮ信号返送をログ情報として記憶部１０６に登録し（ステップ６１１）、ステップ６１７へ進む。
【０１１２】
また、ステップ６１２で、パケット損失率Ｐｅが閾値Ａ以下であると判定された場合は（ステップ６１２でＮＯ）、最大連続損失パケット数ＭＮｅが閾値ｂを超えているかを調べ（ステップ６１５）、ここで、最大連続損失パケット数ＭＮｅが閾値ａを超えている場合は（ステップ６１５でＹＥＳ）、ステップ６１３へ進む。
【０１１３】
ステップ６１３では、ポストメッセージに応答してＲＴＰ信号を送信側装置に返送し、このＲＴＰ信号返送をログ情報として記憶部１０６に登録し（ステップ６１４）、ステップ６１７へ進む。
【０１１４】
また、ステップ６１５で、最大連続損失パケット数ＭＮｅが閾値ａ以下であると判定された場合は（ステップ６１５でＮＯ）、ポストメッセージに応答してＭＣＦ信号を送信側装置に返送し（ステップ６１６）、ステップ６１７へ進む。
【０１１５】
ステップ６１７では、次ページの画情報を受信したかを調べ、次ページの画情報を受信した場合は（ステップ６１７でＹＥＳ）、ステップ６０１に戻り、次ページの画情報の受信処理を行い、ステップ６０１からステップ６１７の処理を繰り返す。
【０１１６】
また、ステップ６１７で、次ページの画情報を受信していないと判断された場合は（ステップ６１７でＮＯ）、次に、ＤＣＮ信号を受信したかを調べる（ステップ６１８）。ここで、ＤＣＮ信号を受信していないと判断された場合は（ステップ６１８でＮＯ）、ステップ６１７に戻り、次ページの画情報を受信したかを再び調べるが、ＤＣＮ信号を受信したと判断された場合は（ステップ６１８でＹＥＳ）、この処理を終了する。
【０１１７】
なお、図６に示すフローチャートにおいては、ステップ６１２で、パケット損失率Ｐｅが閾値Ａ以下であると判定された場合で（ステップ６１２でＮＯ）、最大連続損失パケット数ＭＮｅが閾値ａを超えている場合は（ステップ６１５でＹＥＳ）、ポストメッセージに応答してＲＴＰ信号を送信側装置に返送し、このＲＴＰ信号返送をログ情報として記憶部１０６に登録する（ステップ６１４）ように構成したが、伝送ラインエラー数ＤＮｅに対応して、閾値Ｘより小さい閾値Ｚを更に設定するとともに、パケット損失率Ｐｅに対応して、閾値Ａより小さい閾値Ｂを更に設定するとともに、最大連続損失パケット数ＭＮｅに対応して、閾値ａより小さい閾値ｂを更に設定し、伝送ラインエラー数ＤＮｅが閾値Ｘ以下でかつ閾値Ｚを越えた場合若しくはパケット損失率Ｐｅが閾値Ａ以下でかつ閾値Ｂを越えた場合若しくは最大連続損失パケット数ＭＮｅが閾値Ｘ以下でかつ数閾Ｚを超えた場合、のうち少なくとも一つを満たす場合にはポストメッセージに応答して送信側装置にリトレーニング肯定信号を返送するように構成してもよい。
【０１１８】
次に、本発明の画情報伝送に用いるパケットの構成およびＴ．３８ＩＦＰパケット制御部１１１での画情報受信時における総受信パケット数および総損失パケット数および最大連続損失パケット数の計数方法について説明する。
【０１１９】
図７は、本発明の画情報通信に用いるパケットの構成を示すパケット構成図である。
【０１２０】
本発明のＴ．３８による画情報通信は、ＩＰ層、ＵＤＰ層、ＵＤＰＴＬ層により行われ、この画情報通信では、図７に示すようなパケット構成が用いられる。すなわち、このパケットは、ＩＰヘッダ７１０、ＩＰペイロード７２０からなり、ＩＰペイロード７２０は、ＵＤＰヘッダ７３０、ＵＤＰペイロード７４０からなり、ＵＤＰペイロード７４０は、ＵＤＰＴＬヘッダ７５０、ＵＤＰＴＬペイロード７６０からなり、ＵＤＰＴＬペイロード７６０は、シーケンスナンバ７７０、プライマリ部７８０、セカンダリ部７９０から構成される。
【０１２１】
ここで、本発明の画像通信で伝送される画情報は、プライマリ部７８０に含まれ、このプライマリ部７８０には、それぞれシーケンスナンバ７７０が付与されており、本発明では、このシーケンスナンバ７７０を利用して画情報受信時におけるＩＦＰパケットの総受信パケット数および総損失パケット数および最大連続損失パケット数の計数が行われる。
【０１２２】
図８は、本発明におけるシーケンスナンバ７７０を利用した、総受信パケット、総損失パケット数、最大連続損失パケット数の計数動作の一例を示す動作説明図である。
【０１２３】
図８においては、画情報受信開始から画情報受信終了に至るまでのプライマリ部７８０の流れの一例を模式的に示している。ここでは、画情報受信開始（８０１）により、まず、シーケンスナンバ「Ｎｏ．２５５１」、シーケンスナンバ「Ｎｏ．２５５２」、シーケンスナンバ「Ｎｏ．２５５３」のプライマリ部７８０を受信する。この場合、総受信パケット数は、シーケンスナンバ「Ｎｏ．２５５１」、シーケンスナンバ「Ｎｏ．２５５２」、シーケンスナンバ「Ｎｏ．２５５３」に対応して、「１」、「２」、「３」と増加する。
【０１２４】
次に、シーケンスナンバ「Ｎｏ．２５５４」のプライマリ部７８０が欠落するので、総損失パケット数は「１」になり、最大連続損失パケット数は「１」となる。
【０１２５】
次に、シーケンスナンバ「Ｎｏ．２５５５」、シーケンスナンバ「Ｎｏ．２５５６」、シーケンスナンバ「Ｎｏ．２５５７」のプライマリ部７８０を受信し、その後にシーケンスナンバ「Ｎｏ．２５５８」のプライマリ部７８０が欠落する。
【０１２６】
この場合、シーケンスナンバ「Ｎｏ．２５５５」、シーケンスナンバ「Ｎｏ．２５５６」、シーケンスナンバ「Ｎｏ．２５５７」に対応して、総受信パケット数は、「４」、「５」、「６」と増加し、総損失パケット数は「２」になるが、最大連続損失パケット数は「１」のままである。
【０１２７】
次に、シーケンスナンバ「Ｎｏ．２５５９」、シーケンスナンバ「Ｎｏ．２５６０」のプライマリ部７８０を受信し、その後にシーケンスナンバ「Ｎｏ．２５６１」からシーケンスナンバ「Ｎｏ．２５７３」の１２個のプライマリ部７８０が欠落する。
【０１２８】
これにより、総受信パケット数は、シーケンスナンバ「Ｎｏ．２５５９」、シーケンスナンバ「Ｎｏ．２５６０」に対応して、「７」、「８」と増加し、総損失パケット数は「１４」になり、最大連続損失パケット数は「１２」となる。
【０１２９】
次に、シーケンスナンバ「Ｎｏ．２５７３」、シーケンスナンバ「Ｎｏ．２５７４」のプライマリ部７８０を受信し、その後にシーケンスナンバ「Ｎｏ．２５７５」のプライマリ部７８０が欠落する。
【０１３０】
この場合、総受信パケット数は、シーケンスナンバ「Ｎｏ．２５７３」、シーケンスナンバ「Ｎｏ．２５７４」に対応して、「９」、「１０」と増加し、総損失パケット数は「１５」になるが、最大連続損失パケット数は「１２」のままである。
【０１３１】
次に、シーケンスナンバ「Ｎｏ．２５７６」のプライマリ部７８０を受信し、このシーケンスナンバ「Ｎｏ．２５７６」に対応して総受信パケット数は、「１１」となり、画情報受信終了（８０２）になる。
【０１３２】
この結果、ポストメッセージを受信した時点（８０３）で、総受信パケット数は、「１１」、総損失パケット数は「１５」、最大連続損失パケット数は「１２」と計数される。
【０１３３】
図９は、プライマリ部７８０の詳細構成を示すパケット構成図である。
【０１３４】
図９に示すように、プライマリ部７８０は、種別部７８１、ＩＦＰデータ要素部７８２から構成され、ＩＦＰパケットを構成する。ここで種別部７８１は、ＩＦＰパケットの種別を示すもので、「Ｔ３０＿ＩＮＤＩＣＡＴＯＲ」、「Ｔ３０＿ＤＡＴＡ種別」等の情報を含む。また、ＩＦＰデータ要素部７８２は、「フィールド種別」等の情報を含む。
【０１３５】
図１０は、本発明における総受信パケット、総損失パケット数、最大連続損失パケット数の計数のための画情報受信開始および画情報受信終了の検出動作を説明する説明図である。
【０１３６】
図１０に示すように、Ｔ．３８による非ＥＣＭの画情報通信において、画情報は、フェーズＣにおいて、例えば、種別部７８１に「Ｔ３０＿ＩＮＤＩＣＡＴＯＲ：Ｖ．１７  １４４００  ｍｏｄｕｌａｔｉｏｎ  ｓｈｏｒｔ  ｔｒａｉｎｉｎｉｎｇ」を含むＩＦＰパケットを受信した後に受信する、ＩＦＰデータ要素部７８２に「Ｔ.  ４−Ｎｏｎ−ＥＣＭ」を含むＩＦＰパケットの受信により行われ、画情報受信終了後に、ポストメッセージ１００５を受信する。
【０１３７】
そこで、本発明の一実施例では、原則的は、フェーズＣデータを含むＴ３０ＤＡＴＡに先立つＴ３０ＩＮＤＩＣＡＴＯＲの受信、例えば、種別部７８１に「Ｔ３０＿ＩＮＤＩＣＡＴＯＲ：Ｖ．１７  １４４００  ｍｏｄｕｌａｔｉｏｎ  ｓｈｏｒｔ  ｔｒａｉｎｉｎｉｎｇ」を含むＩＦＰパケットを受信した場合に、この時点（１００１）を画情報受信開始として検出する。
【０１３８】
しかし、何らかの理由により、種別部７８１に「Ｔ３０＿ＩＮＤＩＣＡＴＯＲ」を含むＩＦＰパケットを受信できなかった場合は、ＩＦＰデータ要素部７８２に「Ｔ.  ４−Ｎｏｎ−ＥＣＭ」を含むＩＦＰパケットを最初に受信した時点（１００２）を画情報受信開始として検出する。
【０１３９】
また、原則的には、ＩＦＰデータ要素７８２のフィールド種別に「Ｔ.  ４−Ｎｏｎ−ＥＣＭ−Ｓｉｇ−ＥＮＤ」を含むＩＦＰパケットを受信した場合に、この時点（１００３）を画情報受信終了として検出する。
【０１４０】
しかし、何らかの理由により、ＩＦＰデータ要素７８２のフィールド種別に「Ｔ.  ４−Ｎｏｎ−ＥＣＭ−Ｓｉｇ−ＥＮＤ」を含むＩＦＰパケットを受信できずにポストメッセージに先立つ「Ｔ３０＿ＩＮＤＩＣＡＴＯＲ：Ｖ２１  Ｐｒｅａｍｂｌｅ  Ｆｌａｇｓ」を受信した場合は、その前のさかのぼってフィールド種別「Ｔ.  ４−Ｎｏｎ−ＥＣＭ」のＩＦＰパケットを最後に受信した時点（１００４）を画情報受信終了として検出する。
【０１４１】
図１１は、本発明における画情報受信開始が検出できずに画像受信終了となった場合の動作を説明する説明図である。
【０１４２】
フェーズＣにおいて、画情報の受信待ち状態が開始されたが（１１０１）、画情報の受信開始を検出することなく画情報の受信終了となった場合、すなわち、画情報の受信開始と判断できるパケットを受信せずに、Ｖ．２１Ｐｒｅａｍｂｌｅのパケットを受信した場合、具体的には、種別部７８１の種別が「Ｔ３０＿ＩＮＤＩＣＡＴＯＲ：Ｐｒｅａｍｂｌｅ  Ｆｌａｇｓ」を受信した場合（１１０２）、総パケット数を０とする。
【０１４３】
この場合、ポストメッセージの受信（１１０３）に応答してＲＴＮ信号を送信側装置に返送するか、若しくは送信側装置との通信を中断する。
【０１４４】
以上が本発明の代表的な実施形態の一例であるが、本発明は、上記実施例及び図面に示す実施例に限定することなく、その要旨を変更しない範囲内で適宜変形して実施できるものである。
【符号の説明】
【０１４５】
１００    画像通信装置
１０１    主制御部
１０２    画像蓄積部
１０３    画像読取部
１０４    印刷部
１０５    操作部
１０６    記憶部
１０７    画像処理部
１０８    呼接続制御部
１０９    画像通信制御部
１１０    バス
１１１    パケット制御部
１１２    ＴＣＰ/ＵＤＰ/ＩＰ制御部
１１３    ネットワークインターフェイス部
【図１】
2011082596.tif 000003
【図２】
2011082596.tif 000004
【図３】
2011082596.tif 000005
【図４】
2011082596.tif 000006
【図５】
2011082596.tif 000007
【図６】
2011082596.tif 000008
【図７】
2011082596.tif 000009
【図８】
2011082596.tif 000010
【図９】
2011082596.tif 000011
【図１０】
2011082596.tif 000012
【図１１】
2011082596.tif 000013